(57)【特許請求の範囲】
【請求項１】
床面に対して立設され又は天井面から懸垂されたパネル部材に対して、所定デバイスを取り付けるための取り付け部材であって、
柱状に延在すると共に前記パネル部材の面上に沿って配置可能な取り付け部材本体と、
前記取り付け部材本体を前記パネル部材に固定する固定部と、
前記取り付け部材本体の長手方向の一部又は全部に沿って延在し、前記所定デバイス自体又は該所定デバイスの取り付け部が収容される溝部と、を備え、
前記固定部は、前記パネル部材の縁部に対して前記取り付け部材本体を固定し、且つ該取り付け部材本体の固定位置は前記縁部の任意の位置に選択可能である、
取り付け部材。
【請求項２】
前記パネル部材の前記縁部には、当該縁部に沿って溝部が延在しており、
前記固定部は、
前記パネル部材の前記縁部に沿って延在する前記溝部内をスライド自在であって、当該溝部に沿った任意の位置に固定可能な第１のスライディングブロックと、
前記取り付け部材本体の長手方向に延在する前記溝部内をスライド自在であって、当該溝部に沿った任意の位置に固定可能な第２のスライディングブロックと、
前記第１のスライディングブロックと前記第２のスライディングブロックを連結する連結部材と、
を有する、
請求項１に記載の取り付け部材。
【請求項３】
前記溝部は、その深さ方向において二段の溝部である第一溝部と第二溝部とを有し、
前記第一溝部では、前記所定デバイスの取り付け部によって、該所定デバイスが前記取り付け部材本体に取り付けられ、
前記第二溝部では、前記所定デバイスの配線が収容される、
請求項１又は２に記載の取り付け部材。
【請求項４】
前記第一溝部は、前記取り付け部材本体の内部側に形成され、
前記第二溝部は、前記取り付け部材本体の表面から突出し、前記第一溝部の延在方向と同一方向に延在する溝壁部によって形成される、
請求項３に記載の取り付け部材。
【発明の詳細な説明】
【技術分野】
【０００１】
本発明は、所定のデバイスをパネル部材に取り付けるための取り付け部材、又は配線を収容するための取り付け部材である。
【背景技術】
【０００２】
オフィスを形成する空間構造体においては、柱部材や梁部材を用いて、ユーザの目的に応じた空間が形成される。ここで、いわゆる空間の仕切り板として機能するパネル部材は、柱部材や梁部材またはその他の部材によって構成されるフレームを有するのが一般的である。このパネル部材には、ユーザの用途に応じて、様々の構造物が配置されて、より快適な空間の形成に資する。
【０００３】
ここで、一般的にパネル部材は、床面に設けられた支柱等で支えられるため、その使用時においてはそれほど強度が高い状態で設置されてはいない。そこで、パネル部材に、様々の構造物を配置させる場合、パネル部材の強度や安定性を十分に考慮しなければならず、場合によっては自由な構造物の配置ができない。そこで、パネル部材の強度を補強しながら、重量のある構造物を配置できるようにする技術が公開されている（例えば、特許文献１を参照。）。この技術では、パネル部材の梁部分に嵌合する横梁部材を設け、その横梁部材をパネル部材の梁に嵌め込んでパネル部材の補強をした上で、その横梁部材に構造物を配置させようとするものである。
【０００４】
また、パネル部材には、様々な構造物を配置することが求められるが、その一例としてパネル部材で区切られる空間の出入り口を形成するためのドア装置が挙げられる。ここで、特許文献２には、パネル部材等の間仕切り装置に対してドア装置を設置する技術が公開されている。この技術では、間仕切り装置の縦フレームにドアを枢着するとともに、その縦フレームとそれを支える支柱との間に配線用の空間が形成される。
【特許文献１】特開２００２−１３８６１２号公報
【特許文献２】特許第４００２４８８号公報
【発明の開示】
【発明が解決しようとする課題】
【０００５】
ユーザがパネル部材を用いて空間構造物の空間を形成しようとするとき、当該空間で使用される構造物である様々なデバイスの分量や配置、それに使用される配線等の分配等を考慮して、パネル部材の配置を設計する場合がある。しかし、デバイス等の配置よりも、当該空間を使用するユーザの移動やその配置が優先され、パネル部材の配置は優先度が低くならざるを得ない場合があり、その場合は、上記デバイスや配線を検討してもパネル部材を空間構造物の空間に自由自在に配置することは難しい。
【０００６】
また、当初、適切な位置にパネル部材を配置しても、ユーザの使用に従い、そこで使用されるデバイス等を増設、変更したい場合が考えられる。しかし、パネル部材は、一般的に平面形状を有しており、それが床面からの支柱等に支えられているため、その位置の変更や新たなパネル部材の設置を行い、デバイス等の増設、変更に対応するのが難しい場合がある。
【０００７】
本発明では、上記した問題に鑑み、パネル部材に対して新たなデバイスを配置したり、該デバイスの位置変更や配線を行ったりすることを容易とするための取り付け部材を提供することを目的とする。
【課題を解決するための手段】
【０００８】
上記課題を解決するために、本発明では、柱状に形成される本体を有する、デバイス取り付けのための取り付け部材を、パネルの縁部の任意の位置で固定可能とした。これにより、平面状のパネル部材に対してデバイスを容易に配置させることが可能となる。詳細には、本発明は、床面に対して立設され又は天井面から懸垂されたパネル部材に対して、所定デバイスを取り付けるための取り付け部材であって、柱状に延在する取り付け部材本体と、前記取り付け部材本体を前記パネル部材に固定する固定部と、前記取り付け部材本体の長手方向の一部又は全部に沿って延在し、前記所定デバイス自体又は該所定デバイスの取り付け部が収容される溝部と、を備え、前記固定部は、前記パネル部材の縁部に対して前記取り付け部材本体を固定し、且つ該取り付け部材本体の固定位置は任意に選択可能である。
【０００９】
本発明に係る取り付け部材は、柱状の形状を有する取り付け部材をベースとして構成される。この取り付け部材本体には上記溝部が設けられ、そして、該溝部の窪みを利用して取り付け対象の所定デバイスそのものが収容され、又は該所定デバイスをその取り付け部材本体に取り付けるための取り付け部が収容される。これにより、所定デバイスの取り付けによって外観を損ねたり、所定デバイスが取り付け部材に干渉してその取り付けが困難となったりすることを回避できる。
【００１０】
ここで、上記取り付け部材は、床面に対して立設されたパネル部材又は天井面から懸垂されたパネル部材に対して、固定部を介して固定される。そして、この固定部は、パネル部材の縁部に対して取り付け部材本体を固定するため、パネル部材の比較的強度の高い縁部で確実に支えられるとともに、パネル部材に対してその縁部間をわたって比較的自由度高く固定することができる。即ち、固定部による取り付け部材本体の固定位置は、ユーザが任意に選択可能となる。その結果、本発明に係る取り付け部材をパネル部材に固定することで、従来のように新たなパネル部材を設けたり又既存のパネル部材の位置を変えたりすることなく、ユーザは所定デバイスの増設や変更を容易に行うことが可能となる。
【００１１】
ここで、上記の取り付け部材において、前記溝部は、その深さ方向において二段の溝部である第一溝部と第二溝部とを有し、前記第一溝部では、前記所定デバイスの取り付け部によって、該所定デバイスが前記取り付け部材本体に取り付けられ、そして、前記第二溝部では、前記所定デバイスの配線が収容されるようにしてもよい。即ち、溝部を深さ方向において二段構成とし、各溝部を所定デバイスの取り付けのための溝部と、所定デバイスの配線を収容するための溝部として利用する。このとき、第一溝部と第二溝部の何れを手前側もしくは奥側と設定するかについては、所定デバイスの取り付け易さや配線の引き回しのしやすさ等、様々な観点から決定すればよい。
【００１２】
このように溝部を二段構成とする形態について言及すると、一例としては、前記第一溝部は、前記取り付け部材本体の内部側に形成され、前記第二溝部は、前記取り付け部材本体の表面から突出し、前記第一溝部の延在方向と同一方向に延在する溝壁部によって形成されるようにしてもよい。このような構成では、取り付け部材本体の内側に設けられた第一溝部を介して所定デバイスが取り付けられ、また取り付け部材の表面と溝壁部によって形成される第二溝部によって所定デバイスの配線が収容される。従って、この場合、配線が溝部内手前側に位置するため、その引き回し等の作業が容易となる。
【００１３】
ここで、上述までの取り付け部材において、前記取り付け部材本体は、前記パネル部材の面上において鉛直方向又は水平方向に、前記固定部によって固定されるようにしてもよい。即ち、本発明に係る取り付け部材は、パネル部材に対する取り付け方向は鉛直、水平をユーザが適宜選択することが可能である。尚、パネル部材の縁部に対して固定部を介して固定される限り、取り付け部材本体の取り付け方向は、鉛直方向、水平方向には限られ
ず、斜め方向等ユーザが適宜選択してもよい。
【００１４】
ここで、上記課題を解決する本発明に係る取り付け部材を別の側面から捉えることも可能である。即ち、取り付け部材の取り付け部材本体を、パネル部材の縁部に沿った状態固定する。詳細には、本発明は、床面に対して立設され又は天井面から懸垂されたパネル部材に対して、所定デバイスを取り付けるため又は配線のための取り付け部材であって、柱状に延在する取り付け部材本体と、前記取り付け部材本体を前記パネル部材に固定する固定部と、前記取り付け部材本体の長手方向の一部又は全部に沿って延在し、前記所定デバイス自体又は該所定デバイスの取り付け部又は前記配線が収容される溝部と、を備え、前記固定部は、前記パネル部材の縁部に沿った状態で前記取り付け部材本体を固定し、且つ該取り付け部材本体の固定位置は、該パネル部材の縁部の一辺上で任意に選択可能である。
【００１５】
本発明に係る取り付け部材は、柱状の形状を有する取り付け部材をベースとして構成される。この取り付け部材本体には上記溝部が設けられ、そして、該溝部の窪みを利用して取り付け対象の所定デバイスそのものが収容され、又は該所定デバイスをその取り付け部材本体に取り付けるための取り付け部が収容され、又は配線そのものが収容される。これにより、所定デバイスの取り付けによって外観を損ねたり、所定デバイスが取り付け部材に干渉してその取り付けが困難となったりすることを回避できる。
【００１６】
ここで、上記取り付け部材は、床面に対して立設されたパネル部材又は天井面から懸垂されたパネル部材の縁部に沿った状態で、固定部を介して固定される。尚、その固定位置はパネル部材の縁部の任意の位置とすることができる。そのため、取り付け部材本体自体がパネル部材の構造強度を向上させることになり、パネル部材の構造強度向上と、所定デバイスの取り付けとを両立するとともに、ユーザによるパネル部材のアレンジの幅が広がるため、従来のように新たなパネル部材を設けたり又既存のパネル部材の位置を変えたりすることなく、ユーザは所定デバイスの増設や変更を容易に行うことが可能となる。
【００１７】
このようにパネル部材の縁部に対して固定可能な取り付け部材において、前記取り付け部材本体は、前記固定部によって前記パネル部材の上側縁部に固定される場合、前記溝部は、前記所定デバイスである照明デバイスを収容するようにしてもよい。溝部によって照明がユーザの目に直接晒されるのを回避して、間接照明を提供することが可能となる。
【００１８】
また、上記所定デバイスの他の例として、上記取り付け部材において、前記取り付け部材本体は、前記固定部によって前記パネル部材の上側縁部に固定される場合、前記溝部は、前記所定デバイスであるスライディングドアのスライド機構を収容し、前記スライディングドアは、前記スライド機構が前記溝部に対してスライド動作することで、前記パネル部材に平行にスライドするようにしてもよい。即ち、溝部に所定デバイスそのものを収容するのではなく、所定デバイスであるスライディングドアの取り付け部でもあるスライド機構を収容し、該スライド機構が溝部をスライドすることで、パネル部材にスライディングドアの機能を付加することが可能となる。
【００１９】
そして、上記取り付け装置において、前記溝部は、前記取り付け部材本体の表面から突出し、その長手方向に延在する溝壁部を有し、前記スライド機構は、前記溝壁部を用いて前記スライド動作を行うようにしてもよい。即ち、溝部を構成する溝壁部に対してスライド機構がスライド動作することで、スライディングドアとしての機能が発揮される。
【発明の効果】
【００２０】
パネル部材に対して新たなデバイスを配置したり、該デバイスの位置変更や配線を行ったりすることを容易とするための取り付け部材を提供することが可能となる。
【発明を実施するための最良の形態】
【００２１】
ここで、本発明に係る取り付け部材の実施例を、添付の図面に基づいて説明する。尚、本実施例は法律の要請に従って開示されるものであり、本実施例によって本発明に係る権利範囲が制限されるものではない。
【実施例１】
【００２２】
図１には、本発明の実施例に係る取り付け部材１が開示されている。取り付け部材１は、上辺１１、下辺１２および二本の縦辺１３を有する矩形状のパネル部材１０に固定されるとともに、取り付けの対象となるデバイスであるディスプレイ１００を取り付けられるものである。尚、図１中の２１は、ディスプレイ１００の配線ケーブルである。以下に、パネル部材１０との相関関係とともに、取り付け部材１の詳細について図２〜図７に基づいて説明する。
【００２３】
図２（ａ）は、取り付け部材１の横断面における詳細断面構造を示す図であって、図２（ｂ）は、図１における領域Ａ（パネル部材１０の下辺１２と取り付け部材１とが接する部位の近傍領域）での取り付け部材１の側面図である。取り付け部材１は、図に示すようにパネル部材１０の高さ方向（縦辺１２方向）に延在する柱状の取り付け部材本体２を有する。そして、この取り付け部材本体２の横断面（当該横方向は取り付け部材本体の長手方向に垂直な方向）では、図２（ａ）に示すように、略正方形状をした図中右側部位（以下、「ベース部位」と言う。）に、四つの溝部３、６ａ、６ａ、６ｂが設けられている。これらの溝部は、取り付け部材本体２の長手方向に沿って、該取り付け部材本体２と同じ長さ分、延在している。
【００２４】
溝部３は、上記ベース部位の左辺側に開口部を有するとともに、略六角形状の断面を有する。また、溝部６ａは、上記ベース部位の上辺側又は下辺側に開口部を有するとともに、略六角形状の断面を有する。また、溝部６ｂは、上記ベース部位の右辺側に開口部を有するとともに、略六角形状の断面を有する。本実施例においては、溝部３、６ａ、６ａ、６ｂの断面形状は何れも同じである。また、取り付け部材本体２の最上側の横断面においては、上記四つの溝部に囲まれるように、上記ベース部位の中心部にネジ孔７が設けられている。
【００２５】
また、溝部３が開口している上記ベース部位の表面８の両端部から、その法線方向に溝壁部５が突出して設けられている。この二つの溝壁部５は、溝部３と同様に、取り付け部材本体２の長手方向の全長さにわたって延在し、溝壁部５と表面８とで溝部４が形成されている。この溝部４と上記溝部３は、溝の深さ方向において二段構造となっており、取り付け部材１に向かったユーザを基準として、溝部４が「手前側」に位置し、溝部３が「奥側」に位置した状態となっている。そして、溝部４の容積は、溝部３の容積より大きくなるように、溝壁部５の高さ（表面８からの突出距離）が設定されている。このように横断面形状が形成される取り付け部材１は、図２（ｂ）に示すようにパネル部材１０の高さ方向に延在し、床面との接地部には脚部２０が設けられている。
【００２６】
そこで、この取り付け部材１と、パネル部材１０との領域Ａ近傍での固定について、図２（ｂ）に基づいて説明する。ここで、パネル部材１０の上辺１１、下辺１２、縦辺１３には、溝部３、６ａ、６ｂと同じ断面形状を有する溝部が各辺に沿って設けられている（上辺１１に設けられた溝部については、後述する図７、８において溝部１４として示されている）。尚、パネル部材１０の各辺における溝部の形状については、図２（ａ）における溝部３等の記載をもって、割愛する。
【００２７】
領域Ａ近傍においては、連結部材２２によって、取り付け部材１とパネル部材１０とが
連結されている。そして、取り付け部材１における連結部材２２との連結部位およびパネル部材１０における該連結部材２２との連結部位は、それぞれ以下に示すスライディングブロック７０によって画定される。尚、図２（ｂ）においては、パネル部材１０側のスライディングブロック７０を記載し、取り付け部材１側の溝部６ｂに配置されるスライディングブロック７０の記載は割愛している。このスライディングブロック７０には、後述するようにネジ孔が設けられており、そのネジ孔と螺合するネジ２３およびネジ２１が連結部材２２を介して取り付け部材１をパネル部材１０に固定することになる。また、このスライディングブロック７０は、それぞれに対応する溝部内を自在に移動するとともに、任意の位置で移動しないように固定することが可能である。従って、取り付け部材１のパネル部材１０に対する固定位置を、ユーザは適宜選択することが可能である。
【００２８】
ここで、上記スライディングブロック７０の詳細について、図３〜図６に基づいて説明する。スライディングブロック７０は、図３に示す付勢部材７２と図４に示すベース部材７３とで構成される。この二つは、完全に別個の部材である。付勢部材７２は、輪郭形状を有する付勢部７２ａと、付勢部７２ａから一の方向に突出した突起部７２ｂと、突起部７２ｂとは反対の方向に付勢部７２ａから突出した突起部７２ｃから構成される。付勢部７２ａは、突起部７２ｂと突起部７２ｃが設けられた各点を結ぶ線に対して線対称に形成される。具体的な付勢部７２ａの形状は、各突起部近傍（図中Ｒ１で示される領域）では線対称の中心線に若干沿う形状であり、更に付勢部７２ａの中央に近づくと（図中Ｒ２で示される領域）線対称の中心線から離れるように円弧形状をとり、付勢部７２ａの中央近傍（図中Ｒ３で示される領域）では線対称の中心線にほぼ平行な形状となる。付勢部７２ａがこのような形状を採ることで、Ｒ１で示される領域の付勢部を軸として、Ｒ３で示される領域の付勢部が図面に垂直な方向に撓みやすくなり、そのたわみによって付勢部７２ａが図面に垂直な方向に付勢力を発揮することが可能となる。また突起部７２ｃは、概ね円柱状の突起形状を有しており、突起部７２ｂは、突起部７２ｃより若干の横幅を有する形状である。尚、この横幅は、各溝部の開口部の幅より若干小さい。
【００２９】
ベース部材７３は、図４に示すようにベース部７３ａの中央にネジ孔７３ｂが３個設けられる。更に、ベース部７３ａの一端面側に段付き部７３ｃが、ベース部７３ａの長手方向に沿って設けられている。尚、この段付き部７３ｃの幅（図面上下方向の幅）は、各溝部の開口部の幅より若干小さい。
【００３０】
上述した付勢部材７２およびベース部材７３の、各溝部内におけるスライディングブロックとしての機能の発揮について図５に基づいて説明する。図５に示すのは、各溝部内におけるスライディングブロックの様子である。各溝部の断面形状について詳細に示すと、各溝部は、壁面６１と壁面６２によって形成され、その断面形状は略六角形である。ここで、図５に示すように、各溝部を代表的に示す参照番号を６４とし、その開口部の参照番号を６３とする。そして、溝部６４の断面における略六角形の頂点をＳ１〜Ｓ６と称するとともに、開口部６３を構成する頂点をＴ１、Ｔ２と称する。
【００３１】
まず、図５（ａ）に示すように、溝部６４に対して付勢部材７２を開口部６３から滑り込ませる。このとき突起部７２ｃが溝部６４の奥部（頂点Ｓ３、Ｓ４の近傍）に位置し、突起部７２ｂが開口部６３の近傍（頂点Ｔ１、Ｔ２の間）に位置する。また、付勢部７２ａの領域Ｒ３に位置する部分は、溝部６４の頂点Ｓ１、Ｓ２間および頂点Ｓ５、Ｓ６間の内壁面近傍に位置する。このとき、付勢部７２ａと該内壁面との間には僅かな間隙が存在するため、付勢部７２ａは撓んだ状態とはなっていない。
【００３２】
図５（ａ）に示す状態では、突起部７２ｂを介して付勢部材７２を溝部６４内を自在に移動させることが可能である。溝部６４の任意の位置に付勢部材７２を移動させた後、図５（ｂ）に示すように溝部６４内にベース部材７３を挿入させる。このとき、ベース部材
７３は、付勢部材７２の付勢部７２ａの突起部７２ｂが突出している側の面上に、ベース部材７３の段付き部７３ｃが設けられていない面が接触し、該段付き部７３ｃが開口部６３に位置する。
【００３３】
図５（ｂ）に示す状態においては、付勢部材７２の付勢部７２ａはベース部材７３によって溝部６４の奥部に押し込まれるため、付勢部７２ａの領域Ｒ３に位置する部分は、壁面６１によって形成される内壁面（頂点Ｓ２、Ｓ３間、および頂点Ｓ４、Ｓ５間）に接触することになる。この内壁面は、溝部６４の奥部に進むに従い、幅が狭くなる。そのため、図５（ｂ）に示す状態では、付勢部材７２の付勢部７２ａは上述したように撓み、その撓みに起因してベース部材７３に対して、それを開口部６３近くの壁面６２に押し付ける付勢力を発生させる。その結果、付勢部材７２とベース部材７３とから構成されるスライディングブロック７０は、溝部６４内の任意の位置に固定される。
【００３４】
そして、溝部６４内に固定されたスライディングブロック７０のネジ孔７３ｂに対して、上記ネジ２１、２３によって連結部材２２を介して、取り付け部材１をパネル部材１０の任意の位置に固定することができる。
【００３５】
ここで、溝部６４内で一度任意の位置に固定されたスライディングブロック７０に対して、その固定位置を変更する際の様子について、図６に基づいて説明する。先ず、図６（ａ）に示すように、付勢部材７２に付勢力が与えられているベース部材７３を、矢印の方向に、完全に付勢部材７２から付勢力が与えられない位置までずらす。このとき、溝部６４を断面方向から見ると、図６（ｂ）に示すとおりである。付勢部材７２は、ベース部材７３が外されたことで、図６（ｂ）に示す状態となる。このとき、ベース部材７３は、溝部６４内において、付勢部材７２が存在する空間以外の空間に存在することになる。
【００３６】
しかし、図６（ｂ）に示すように、ベース部材７３は、溝部６４内において付勢部材７２の突起部７２ｃに干渉する状態となる。このことは、ベース部材７３が、付勢部材７２による付勢力から解放された状態となっても、溝部６４内において自在に移動可能ではなく、付勢部材７２によってその移動が制限されることを意味する。これにより、ベース部材７３が付勢部材７２からいたずらに離れてしまうことを回避できる。尚、ベース部材７３を付勢部材７２による付勢力から解放した後は、ベース部材７３を開口部６３から取り外し、付勢部材７２を新たな位置に移動させた後に改めてベース部材７３を溝部６４内に挿入することで、スライディングブロック７０の固定を行える。
【００３７】
ここで、取り付け部材１の上部とパネル部材１０とが連結される領域（図１で示す領域Ｂ）の詳細について図７に基づいて説明する。図７（ａ）は、領域Ｂを上方から見た場合の、取り付け部材１とパネル部材１０との固定の状況を示し、図７（ｂ）は、図７（ａ）に示した状態の側面図である。パネル部材１０の上辺１１には、上述したように上記溝部３と同様の溝部１４が設けられ、その内部には上記スライディングブロック７０が配置される（図７では示さず）。そして、取り付け部材１を固定すべき位置にて、溝部１４内でスライディングブロック７０を固定し、該スライディングブロック７０が有するネジ孔と、上記取り付け部材本体２の上部に設けられたネジ孔とに対して、それぞれネジ２７とネジ２５が連結部材２５を介して螺合することで、領域Ｂでの取り付け部材１のパネル部材１０への固定が完了する。
【００３８】
また、図８に、取り付け部材１のパネル部材１０への固定について、別の形態を示す。図８中、右側に示すのが上述までの固定形態であり、即ち取り付け部材１が、パネル部材１０の上辺の途中部分で、連結部材２５を介して固定されている。一方で、図８中、左側に示される固定形態では、取り付け部材１は、一のパネル部材１０と他のパネル部材１０とを支える柱部材１５に接続されている。この場合、柱部材１５に予め設けられたネジ孔
に対してネジが螺合されることで、柱部材１５と取り付け部材１とが固定される。
【００３９】
ここで、取り付け部材１に対するディスプレイ１００の取り付けについて言及する。ディスプレイ１００は、図２（ａ）に示す取り付け部材１の横断面において、溝部３の開口部側に取り付けられる。具体的には、溝部３内にスライディングブロック７０を配置させるとともに、ディスプレイ１００を取り付ける位置に該スライディングブロック７０を固定する。そして、該スライディングブロック７０のネジ孔を利用して、ディスプレイ１００の取り付けが行われる。尚、ディスプレイ１００の取り付けのために取り付け部材が使用される場合は、溝部４内に該取り付け部材が収容されるようにすることで、該ディスプレイ１００が溝壁部５と干渉するのと回避することができる。
【００４０】
また、図１に示すようにディスプレイ１００の配線ケーブル２１を溝部４内に収容することも可能である。この場合、配線ケーブル２１が収容されている溝部４の部位および収容されていない溝部４の部位に対して、図８に示すようにカバー９を設けることで、取り付け部材１の外観を良好に保つことができる。
【００４１】
また、図９に示すように、一つのパネル部材１０に対して、二つの取り付け部材１を固定させてディスプレイ１００を配置するようにしてもよい。このようにすることで、より重量のあるデバイスをパネル部材１０に配置することができる。また、取り付け部材１は、パネル部材１０に対して鉛直方向だけではなく、水平方向に固定することもできる。即ち、パネル部材１０の縦辺１３の溝部を利用して、スライディングブロック７０で取り付け部材１の水平取り付けも可能である。
【００４２】
ここで、上記までの実施例においては、取り付け部材１の溝部６ｂにスライディングブロック７０を配置して、該取り付け部材１とパネル部材１０とを固定するとともに、溝部３にスライディングブロック７０を配置して、ディスプレイ１００を取り付け部材１に取り付けた。次に、取り付け部材１をデバイスの取り付けではなく、配線ケーブルの引き回し用に使用する形態を開示し、当該実施形態について図１０に基づいて説明する。
【００４３】
図１０に示す実施形態では、取り付け部材１の溝部６ａにスライディングブロック７０を配置して、該取り付け部材１とパネル部材１０とが固定されている。その結果、溝壁部５がパネル部材１０に沿った方向に配置され、以て溝部４の開口がパネル部材の面方向になり、換言すると、取り付け部材１が「横を向いた状態」となる。これにより、パネル部材１０の正面に立ったユーザからは、溝部４の内部は直接見えにくくなるため、該溝部４に配線ケーブルを引き回すことで、外観を悪くすることなく、様々な配線ケーブルの引き回しが可能である。
【００４４】
図１０においては、床面から引き延ばされた配線ケーブルが溝部４を通って、パネル部材１０の上辺１１上の配線ケース３２に引き回された状態が示されている。また、天井等から引き延ばされた配線ケーブルが、バッファケース３１に引き込まれそこで溜められた上で、溝部４を通り配線ケース３２に引き回された状態も示されている。このように、取り付け部材１は、外観を落とすことなく、パネル部材１０に対して様々な配線ケーブルの引き回し形態を提供することが可能である。
【実施例２】
【００４５】
本実施例では、本発明に係る取り付け部材１の別の実施形態であって、パネル部材１０の縁部に取り付けられる取り付け部材１について開示を行う。図１１に示すのは、パネル部材１０の縁部の一つである上辺１１上に固定される取り付け部材１の実施形態である。尚、本実施例における取り付け部材１は、図２に示す二つの溝部６ａ（即ち、取り付け部材１の側方に開口する溝部）を含まないが、それ以外の構成については、先の実施例に示
す構成と同じであるため、その詳細の説明は割愛する。
【００４６】
本実施例では、取り付け部材１は、パネル部材１０の上辺１１に沿った状態で固定される。具体的な固定については、パネル部材１０の上辺１１上に設けられたネジ穴（図示せず）に対して、溝部３および溝部６ｂを貫通させてネジを螺合させることで行われる。尚、取り付け部材１はアルミニウムの押し出し成形で製造されたものであるので、その加工が容易である。そこで、パネル部材１０が設置されている現場において、該パネル部材１０の上辺の長さに合わせて取り付け部材１を切断し、パネル部材１０に設けられたネジ穴に対応する箇所にドリルで貫通孔を形成し、その後ネジで取り付け部材１をパネル部材１０に固定する。このように、適宜パネル部材１０に対応させた取り付け部材１を準備するのは容易である。また、一枚のパネル部材ではなく二枚以上のパネル部材にわたって一本の取り付け部材１を固定すると、これらのパネル部材の補強にも寄与する。
【００４７】
また、取り付け部材１の端部の外観を良好なものとするために、端部カバー３６、３７が設けられる。端部カバー３６は取り付け部材１の端部に直接取り付けられる。ここで、端部カバー３６は、その中央部近傍から端部に向かって略長方形状に切り欠かれた切欠部を有しており、この切欠部に嵌め込まれるように端部カバー３７が、端部カバー３６に対して脱着可能となっている。尚、この切欠部は、端部カバー３６が取り付け部材１の端部に取り付けられたとき、溝部４の側方の端部に対応する。更に、溝部４の上方開口部を覆うためのカバー３５も取り付けられる。
【００４８】
このように構成される取り付け部材１は、図１２に示すように、溝部４を介してパネル部材１０の上辺１１を利用して、その内部に配線ケーブル３８を引き回すことが可能である。そして、取り付け部材１の端部においては、端部カバー３７が端部カバー３６から取り外され、上記切欠部から溝部４内の配線ケーブル３８を外に引き出し、又は外から引き込むことが可能となる。
【００４９】
また、本実施例に示すようにパネル部材１０の縁部である上辺１１に取り付け部材１を固定するとき、その溝部４には、図１３に示すように照明装置４０を配置してもよい。尚、図１３は照明装置４０の配置を重点的に示すために、取り付け部材１の他の構造の記載については簡略化されている。このように照明装置４０をパネル部材１０の上辺１１に配置することで、間接照明を提供することが可能となる。
【００５０】
更に、複数のパネル部材１０の上辺にわたって固定された取り付け部材１の他の利用形態について、図１４および図１５に示す。図１４は、取り付け部材１の溝部４を構成する片側の溝壁部５を利用して、スライディングドア５０を配置した状態を断面図で示し、図１５は、スライディングドア５０を含むパネル部材１０全体の外観を示す。図１５に示すように、取り付け部材１は複数のパネル部材１０の上辺にわたって固定されており、その一部５５においては、パネル部材は配置されていない。そこで、この参照番号５５で示される部分を、複数のパネル部材１０で間仕切りされた空間の出入り口とすべく、スライディングドア５０が設置される。
【００５１】
ここで、図１４に示すように、スライディングドア５０に連結され、それをスライド動作させるスライド機構５１が設けられている。スライド機構５１は、回転可能なローラー部５２を有しており、該ローラー部５２が溝壁部５に引っかかるとともに、その一部が溝部４内に収容されている。このように構成されるスライド機構５１によって、スライディングドア５０は、取り付け部材１に沿ってスライド移動することが可能となる。その結果、出入り口５５の開閉を行うドアとしての機能を発揮することが可能となる。このようにスライド機構５１を取り出し部材１の溝壁部５に引っ掛けることで容易にスライディングドアを構成させることができるので、本発明に係る取り付け部材１は、パネル部材の幅広
いアレンジ等に寄与する。
【図面の簡単な説明】
【００５２】
【図１】本発明の実施例に係る取り付け部材の取り付け状態を示す第一の図である。
【図２】本発明の実施例に係る取り付け部材の構成を示す第一の図である。
【図３】本発明の実施例に係る取り付け部材のパネル部材への固定等で使用される、スライディングブロックの構成を示す第一の図である。
【図４】本発明の実施例に係る取り付け部材のパネル部材への固定等で使用される、スライディングブロックの構成を示す第二の図である。
【図５】本発明の実施例に係るスライディングブロックの動きを説明する第一の図である。
【図６】本発明の実施例に係るスライディングブロックの動きを説明する第二の図である。
【図７】本発明の実施例に係る取り付け部材の構成を示す第二の図である。
【図８】本発明の実施例に係る取り付け部材の取り付け状態を示す第二の図である。
【図９】本発明の実施例に係る取り付け部材の取り付け状態を示す第三の図である。
【図１０】本発明の実施例に係る取り付け部材の取り付け状態を示す第四の図である。
【図１１】本発明の実施例に係る取り付け部材であって、パネル部材の上辺に固定されて使用される取り付け部材の構成を示す図である。
【図１２】本発明の実施例に係る取り付け部材が、パネル部材の上辺に固定されて使用されている状態を示す第一の図であって、配線ケーブルが引き回された状態を示す図である。
【図１３】本発明の実施例に係る取り付け部材が、パネル部材の上辺に固定されて使用されている状態を示す第二の図であって、照明装置が配置された状態を示す図である。
【図１４】本発明の実施例に係る取り付け部材が、パネル部材の上辺に固定されて使用されている状態を示す第三の図であって、スライディングドアが取り付けられた状態を示す図である。
【図１５】図１４に示すスライディングドアとパネル部材との全体の外観を示す図である。
【符号の説明】
【００５３】
１・・・・取り付け部材
２・・・・取り付け部材本体
３・・・・溝部
４・・・・溝部
５・・・・溝壁部
６ａ、６ｂ・・・・溝部
７・・・・ネジ孔
８・・・・表面
９・・・・カバー
１０・・・・パネル部材
１１・・・・上辺
１４・・・・溝部
２２・・・・連結部材
２５・・・・連結部材
３５・・・・カバー
３６・・・・端部カバー
３７・・・・端部カバー
４０・・・・照明装置
５０・・・・スライディングドア
５１・・・・スライド機構
７０・・・・スライディングブロック
７２・・・・付勢部材
７３・・・・ベース部材
１００・・・・ディスプレイ
【図１】
0005265907.tif 000002
【図２】
0005265907.tif 000003
【図３】
0005265907.tif 000004
【図４】
0005265907.tif 000005
【図５】
0005265907.tif 000006
【図６】
0005265907.tif 000007
【図７】
0005265907.tif 000008
【図８】
0005265907.tif 000009
【図９】
0005265907.tif 000010
【図１０】
0005265907.tif 000011
【図１１】
0005265907.tif 000012
【図１２】
0005265907.tif 000013
【図１３】
0005265907.tif 000014
【図１４】
0005265907.tif 000015
【図１５】
0005265907.tif 000016